(57)【特許請求の範囲】
【請求項１】
折り畳まれた状態の長側壁を底部に対して垂直に立て、次いで、折り畳まれた状態の短側壁を底部に対して垂直に立てることにより、箱型のコンテナーに組み立てられる折り畳みコンテナーにおいて、短側壁を、スリットが形成されたヒンジ雌ブロックを有する下部短側壁部と該下部短側壁部のヒンジ雌ブロックに形成されたスリットに挿入される水平ピンを有する上部短側壁部とにより構成するとともに、箱型に組み立てられた折り畳みコンテナーを段積みした際には、上に位置する折り畳みコンテナーの底部の短辺側に形成された短辺側嵌合凹部に、下に位置する折り畳みコンテナーの下部短側壁部に形成されたヒンジ雌ブロックに突設された凸条が挿入されるように構成されており、且つ、上に位置する折り畳みコンテナーの底部の嵌合部が、下に位置する折り畳みコンテナーの下部短側壁部に形成されたヒンジ雌ブロックの凸条の内側に入り込むように構成されていることを特徴とする折り畳みコンテナー。
【請求項２】
上に位置する折り畳みコンテナーの底部の長辺側に形成された長辺側嵌合凹部に、下に位置する折り畳みコンテナーの長側壁に形成された凸条が挿入されるように構成されていることを特徴とする請求項１に記載の折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，図２３〜図２５に示されているように、長方形の底部１の相対する長辺側１ａに、適当なヒンジにより連結された長側壁２と、同じく上記底部１の相対する短辺側１ｂに、適当なヒンジにより連結された短側壁３とからなる折り畳みコンテナーが知られており、折り畳み状態においては、図２５に示されているように、底部１の上に短側壁３が重なるように折り畳まれ、更にその上に、長側壁２が折り畳まれている。そして、折り畳まれた状態の長側壁２を、図２４に示されているように、底部１に対して垂直に立て、次いで、折り畳まれた状態の短側壁３を、底部１に対して垂直に立てることにより、図２３に示されているように、箱型のコンテナーに組み立てるように構成されている。そして、長側壁２の垂直端部に形成された係合凹部２ａに、短側壁３の垂直端部に形成された係合片３ａを係合させることにより、箱型に組み立てられた状態の折り畳みコンテナーの短側壁３が、底部１方向に、簡単には倒れないように構成されている。
【０００３】
【発明が解決しようとする課題】
【０００４】
上述した従来の折り畳みコンテナーにおいては、図２５に示されているように、折り畳んだ状態の高さが高いために、折り畳んだ状態の折り畳みコンテナーの収納効率が悪く、収納スペースが大きくなるという問題があった。
【０００５】
図２３に示されているように、箱型に組み立てられた状態における長側壁２の係合凹部２ａと短側壁３の係合片３ａとによる係合状態が弱いと、簡単に係合が外れて、箱型に組み立てられた状態の折り畳みコンテナーの短側壁３が、底部１方向に倒れるという問題がある。また、長側壁２の係合凹部２ａと短側壁３の係合片３ａとによる係合状態が強いと、図２４に示されているように、短側壁３を底部１０方向に倒して、底部１に重ねる際に、長側壁２の係合凹部２ａから短側壁３の係合片３ａが、なかなか外れず、折り畳みコンテナーの折り畳み作業の作業性が悪くなるという問題があり、更に、底部１に重ねられている短側壁３を立てて、図２３に示されているような箱型に組み立てる際に、長側壁２の係合凹部２ａと短側壁３の係合片３ａとが、なかなか係合せず、折り畳みコンテナーの箱型への組み立て作業性の作業性が悪くなるという問題があった。
【０００６】
上述した従来の折り畳みコンテナーにおいては、箱型に組み立てられた折り畳みコンテナーを段積みした際には、下に位置する折り畳みコンテナーが、収容された物品の内圧や上に位置する折り畳みコンテナーの重量により、側壁が、外側に湾曲し、所謂、外膨れを起こすという問題があった。
【０００７】
本発明の目的は、上述した従来の折り畳みコンテナーが有する課題を解決することにある。
【０００８】
【課題を解決するための手段】
本発明は、上述した目的を達成するために、折り畳まれた状態の長側壁を底部に対して垂直に立て、次いで、折り畳まれた状態の短側壁を底部に対して垂直に立てることにより、箱型のコンテナーに組み立てられる折り畳みコンテナーにおいて、第１には、短側壁を、スリットが形成されたヒンジ雌ブロックを有する下部短側壁部と該下部短側壁部のヒンジ雌ブロックに形成されたスリットに挿入される水平ピンを有する上部短側壁部とにより構成するとともに、箱型に組み立てられた折り畳みコンテナーを段積みした際には、上に位置する折り畳みコンテナーの底部の短辺側に形成された短辺側嵌合凹部に、下に位置する折り畳みコンテナーの下部短側壁部に形成されたヒンジ雌ブロックに突設された凸条が挿入されるように構成されており、且つ、上に位置する折り畳みコンテナーの底部の嵌合部が、下に位置する折り畳みコンテナーの下部短側壁部に形成されたヒンジ雌ブロックの凸条の内側に入り込むように構成したものであり、第２には、上に位置する折り畳みコンテナーの底部の長辺側に形成された長辺側嵌合凹部に、下に位置する折り畳みコンテナーの長側壁に形成された凸条が挿入されるように構成したものである。
【０００９】
【実施例】
以下に、本発明の実施例について説明するが、本発明の趣旨を越えない限り何ら、本実施例に限定されるものでない。
【００１０】
先ず最初に、図１〜図４を用いて、合成樹脂で一体に成形された底部１０について説明する。
【００１１】
底部１０は、平面形状が略長方形に形成されており、底部１０の相対する長辺側には、長手方向に対して垂直な断面形状が略逆Ｕ字状の長辺側土手部１１が形成されている。長辺側土手部１１の外側上面には、長辺側土手部１１の外面１１ａと面一な、上方に延在する外壁（以下、長辺側外壁という。）１２が形成されており、また、長辺側土手部１１の内側上面には、長辺側ヒンジ雌部Ｈ１を構成する板状部ｈ１が上方に延在するとともに、板状部ｈ１の上部には、その先端が長辺側外壁１２方向に湾曲したフックｈ２が形成されている。長辺側土手部１１には、長辺側ヒンジ雌部Ｈ１が、所定の間隔で適当数、形成されている。なお、本実施例には、６個の長辺側ヒンジ雌部Ｈ１が形成されている例が示されている。そして、長辺側ヒンジ雌部Ｈ１は、長辺側外壁１２と略同じ高さに形成されている。
【００１２】
また、底部１０の相対する短辺側には、長辺側土手部１１に形成された外壁１２より、高さの低い外壁（以下、短辺側外壁という。）１３が形成されている。また、短辺側外壁１３に沿って、且つ、短辺側外壁１３に接近して、底部１０には、板状部ｈ１と、短辺側外壁１３方向に湾曲したフックｈ２とからなる、上述した長辺側ヒンジ雌部Ｈ１と同様の短辺側ヒンジ雌部Ｈ２が形成されている。なお、本実施例には、短辺側ヒンジ雌部Ｈ２が、４個、配設されている例が示されている。そして、短辺側ヒンジ雌部Ｈ２は、短辺側外壁１３の高さと略同じ高さに形成されている。
【００１３】
底部１０の４つの角部には、長辺側外壁１２及び短辺側外壁１３を越えて上方に延在する、平面形状が略Ｌ字状の角部ブロック１４が形成されている。角部ブロック１４の内側には、長辺側ヒンジ雌部Ｈ１及び長辺側外壁１２と略同じ高さを有する載置面１４ａが形成された切り欠き凹部１４ｂが形成されている。
【００１４】
１５は、長辺側土手部１１の上面と長辺側外壁１２の内壁面とにより形成される隅部に、所定の間隔を置いて適当数形成された板状リブであり、長辺側外壁１２を補強する機能を有するものである。１６は、底部１０の上面と短辺側外壁１３の内壁面とにより形成される隅部に、所定の間隔を置いて適当数形成された、上記の板状リブ１５と同様の板状リブであり、短辺側外壁１３を補強する機能を有するものである。
【００１５】
１７は、長辺側土手部１１の中央部を所定の幅だけ、長辺側外壁１２の上端まで延長することにより形成された、長辺側土手部１１と同様に、長手方向に対して垂直な断面形状が略逆Ｕ字状の長辺側凸状部であり、長辺側凸状部１７は、長辺側外壁１２と、長辺側外壁１２の上端と略面一な天部１７ａと、長辺側土手部１１の内壁１１ｂと面一な内壁１７ｂと、板状リブ１５と同様の相対する側壁１７ｃとにより構成されており、下方に開口を有するとともに、長辺側凸状部１７の内部は空洞に形成されている。１８は、短辺側外壁１３付近の底部１０の中央部を所定の幅だけ、短辺側外壁１３の上端まで膨出することにより形成された、長手方向に対して垂直な断面形状が略逆Ｕ字状の短辺側凸状部であり、短辺側凸状部１８は、短辺側外壁１３の上端と略面一な天部１８ａと、短辺側ヒンジ雌部Ｈ２を構成する板状部ｈ１に沿って形成されている内壁１８ｂと、板状リブ１６と同様の相対する側壁１８ｃとにより構成されており、下方に開口を有するとともに、短辺側凸状部１８の内部は空洞に形成されている。上記の長辺側凸状部１７及び短辺側凸状部１８は、それぞれ、底部１０の長辺側及び短辺側の強度及び剛性を高め、ひいては、底部１０の強度及び剛性を高める機能を有するものである。
【００１６】
底部１０は、長辺側土手部１１を構成する外壁１１ａの下端部１１ａ１及び短辺側外壁１３の下端部１３ａを越えて下方に延在する、裏面形状が長方形で、所定の高さを有する嵌合部１９が形成されており、嵌合部１９は、長辺側土手部１１の内壁１１ｂを下方に延長することにより形成された長辺側側壁１９ａと、短辺側外壁１３より内側に位置する短辺側側壁１９ｂと、長辺側側壁１９ａと短辺側側壁１９ｂにより囲まれた領域に形成された交差リブ１９ｃとにより形成されている。
【００１７】
２０は、長辺側土手部１１を構成する外壁１１ａの略中央部を、その下端２０ａが、嵌合部１９まで延長するようにして形成された逆台形状の突出壁である。突出壁２０と長辺側土手部１１の外壁１１ａ及び長辺側土手部１１の内壁１１ｂと嵌合部１９の長辺側側壁１９ａ間には間隙２０ｂが形成されており、間隙２０ｂ内には、間隙２０ｂを架橋する一対の仕切り壁２１が形成されている。そして、突出壁２０と長辺側土手部１１の外壁１１ａ、長辺側土手部１１の内壁１１ｂと嵌合部１９の長辺側側壁１９ａ及び一対の仕切り壁２１により、下方が開口された長辺側嵌合凹部２２が形成されている。
【００１８】
２３は、短辺側外壁１３の略中央部を、その下端２３ａが、嵌合部１９まで延長するようにして形成された逆台形状の突出壁である。突出壁２３と嵌合部１９の短辺側側壁１９ｂ間には間隙２３ａが形成されており、間隙２３ａ内には、間隙２３ａを架橋する一対の仕切り壁２４が形成されている。そして、突出壁２３と嵌合部１９の短辺側側壁１９ｂと一対の仕切り壁２４とにより、下方が開口された短辺側嵌合凹部２５が形成されている。なお、２６は、略逆Ｕ字状の長辺側土手部１１内に形成された補強用仕切りリブである。
【００１９】
次に、図５及び図６を用いて、短側壁２７について説明する。
【００２０】
短側壁２７は、上下方向に分割された上部短側壁部２７ａと下部短側壁部２７ｂとから構成されており、上部短側壁部２７ａ及び下部短側壁部２７ｂは、それぞれ、合成樹脂で一体に成形されている。上部短側壁部２７ａの下端の両端部付近及び中央部には、凹部２８が形成されており、凹部２８内には、凹部２８を構成する相対する側面２８ａを架橋する水平ピンｈ３が取着されている。２９は、上部短側壁部２７ａの両端部付近の領域に、上部短側壁部２７ａの上端から下方に所定深さ延在する、それぞれ、一対の平行なスリット３０を形成することにより形成された舌片であり、舌片２９には、係止突片３１が突設されており、係止突片３１は、水平部３１ａと、それに形成された、若干、膨出した膨出部３１ｂとにより構成されている。３２は、下部短側壁部２７ｂに形成されている手持ち用開口部３３に対応して形成された凹部であり、３４は、上部短側壁部２７ａの上端の中央部領域に形成された、上記の係止突片３１と同じ方向に延在するフランジであり、フランジ３４は、中央に位置するＵ字状部３４ａと上部短側壁部２７ａの上端に形成された水平部３４ｂとから形成されている。
【００２１】
下部短側壁部２７ｂの上端の両端部付近及び中央部には、上方に突出したヒンジ雌ブロックＨ３が形成されており、ヒンジ雌ブロックＨ３には、上述した上部短側壁部２７ａの凹部２８内に取着された水平ピンｈ３が挿入可能な、下部短側壁部２７ｂの幅方向に沿ったスリット３５が形成されている。スリット３５の入り口部３５ａの高さ（図５及び図６において、入り口部３５ａの上下方向の高さ）は、水平ピンｈ３の直径より、若干、小さく形成されており、スリット３５に挿入された水平ピンｈ３が、簡単には、スリット３５から抜け出ないように構成されている。３６は、両端に位置するヒンジ雌ブロックＨ３の下方に形成された一対の横長の嵌合孔であり、上述した上部短側壁部２７ａに形成された係止突片３１が嵌合するように構成されている。
【００２２】
３７は、下部短側壁部２７ｂの両側の垂直縁付近に、上下方向に所定の間隔をおいて、突設された、縦長状の嵌合突片である。３８は、下部短側壁部２７ｂの両側の下部角部に形成された切り欠き部であり、後述するように、折り畳みコンテナーを箱型に組み立てた際に、上述した底部１０の４つの角部に形成された角部ブロック１４の短辺側外壁１３側に位置する部分１４ｃが、切り欠き部３８に、入り込むことができるように構成されている。
【００２３】
下部短側壁部２７ｂの下端から水平方向に延在する下部フランジ３９の下面には、上述した底部１０の短辺側外壁１３に沿って形成された短辺側ヒンジ雌部Ｈ２に対応して、短側壁側ヒンジ雄部Ｈ４が形成されており、短側壁側ヒンジ雄部Ｈ４は、下部フランジ３９の下面に、所定の間隔を置いて垂設された一対の下端縁が略半円形状に形成された支持片ｈ４と、一対の支持片ｈ４に架橋された水平ピンｈ５とから構成されている。４０は、下部フランジ３９の下面に、所定数、垂設された、上記の支持片ｈ４と同様に突片であり、支持片ｈ４と突片４０の間、及び、隣り合う突片４０間には、支持片ｈ４と突片４０及び隣り合う突片４０を連結する連結梁４１が、適宜、形成されている。４２は、中央部に位置する突片４０間に形成された凹部であり、折り畳みコンテナーを組み立てた際に、底部１０の短辺側凸状部１８が入り込むことができるように構成されている。また、４３は、同じく、突片４０間に形成された一対のスリット状の凹部であり、折り畳みコンテナーを組み立てた際に、底部１０の上面と短辺側外壁１３の内壁面とにより形成される隅部に形成された板状リブ１６が入り込むことができるように構成されている。
【００２４】
下部短側壁部２７ｂの上端の両端部付近及び中央部に形成されたヒンジ雌ブロックＨ３の上面中央部には、下部短側壁部２７ｂの幅方向に沿った凸条４４が形成されている。４５ａは、下部フランジ３９の上面の中央部から上方に延在するカード押え板であり、本実施例においては、所定の間隔をおいて２本のカード押え板４５ａが形成されており、カード押え板４５ａと下部短側壁部２７ｂの板状部４６との間には、カード押え板４５ａを、その弾性に抗して、外側に移動させることにより、カードが挿入可能な間隙が形成されるように構成されている。４５ｂは、一対のカード押え板４５ａの外側に位置する下部短側壁部２７ｂの板状部４６に形成された一対のカード規制縦リブであり、一対のカード規制縦リブ４５ｂの上部は、互いに離れる方向に傾斜した傾斜部４５ｂ１が形成されており、一対のカード押え板４５ａと一対のカード規制縦リブ４５ｂとによりカード差し部材４５が構成されている。なお、４７は、下部短側壁部２７ｂの板状部４６に形成されたカード押え板４５ａを射出成形した際に形成される金型挿入孔である。
【００２５】
４８は、カード差し部材４５を囲むように形成された略逆Ｕ字状のリブであり、略逆Ｕ字状のリブ４８の両端は、下部フランジ３９に連結されている。４９は、下部短側壁部２７ｂの板状部４６の適当な箇所に、適当数、形成された横リブであり、５０は、同じく、下部短側壁部２７ｂの板状部４６の適当な箇所に、適当数、形成された縦リブであり、下部短側壁部２７ｂを補強するために、必要に応じて、適宜、形成することができる。
【００２６】
上述した構成を有する上部短側壁部２７ａと下部短側壁部２７ｂとは、下部短側壁部２７ｂの上端の両端部付近及び中央部に形成されたヒンジ雌ブロックＨ３のスリット３５に、上部短側壁部２７ａの下端の両端部付近及び中央部に形成された凹部２８を架橋する水平ピンｈ３を、スリット３５の入り口部３５ａを押し開くようにして嵌入することにより、ヒンジ連結されるように構成されている。そして、ヒンジ雌ブロックＨ３と水平ピンｈ３により構成されるヒンジ部により、下部短側壁部２７ｂに対して、上部短側壁部２７ａが回動可能なように構成されている。そして、ヒンジ連結された上部短側壁部２７ａと下部短側壁部２７ｂとが、略面一状態に配置された状態において、下部短側壁部２７ｂの両側の垂直縁付近に突設された嵌合突片３７や横リブ４９や縦リブ５０等及び上部短側壁部２７ａの舌片２９に突設された係止突片３１等が、共に、同じ側に位置するように連結するとともに、後述するように、折り畳みコンテナーを箱型に組み立てた際には、折り畳みコンテナーの外側に位置するように組み立てる。なお、折り畳みコンテナーを箱型に組み立てた際に、折り畳みコンテナーの内側に位置する上部短側壁部２７ａと下部短側壁部２７ｂの壁面は、凹凸のない平滑な面に形成することが好ましく、このように平滑な面とすることにより、折り畳みコンテナーに収容される物品の損傷を防止することができる。
【００２７】
次に、図７及び図８を用いて、合成樹脂で一体に成形された長側壁５１について説明する。
【００２８】
長側壁５１は、横長の板状部５２と、横長の板状部５２の下端から水平方向に延在する下部フランジ５３と、横長の板状部５２の上端から水平方向に延在する上部フランジ５４と、横長の板状部５２の両端に形成されるとともに、下部フランジ５３の両端と上部フランジ５４の両端を連結する垂直フランジ５５を有しており、下部フランジ５３、上部フランジ５４及び垂直フランジ５５とにより囲まれた板状部５２には、長側壁５１を補強するために、必要に応じて、適宜、適当数の横リブ５６及び縦リブ５７が形成されている。
【００２９】
長側壁５１の下部フランジ５３の下面には、上述した底部１０の長辺側土手部１１の内側上面に形成された長辺側ヒンジ雌部Ｈ１に対応して、長側壁側ヒンジ雄部Ｈ５が形成されており、長側壁側ヒンジ雄部Ｈ５は、上述した短側壁側ヒンジ雄部Ｈ４と同様に、下部フランジ５３の下面に、所定の間隔を置いて垂設された一対の下端縁が略半円形状に形成された支持片ｈ４と、一対の支持片ｈ４に架橋された水平ピンｈ５とから構成されている。５８は、下部フランジ５３の下面に、所定数、垂設された、上記の支持片ｈ４と同様の突片であり、隣り合う支持片ｈ４と突片５８は、連結梁５９により、適宜、連結されている。６０は、中央部に位置する突片５８間に形成された凹部であり、凹部６０には、折り畳みコンテナーを組み立てた際に、底部１０の長辺側凸状部１７が入り込むことができるように構成されている。また、６１は、同じく、突片５８間に形成された適当数のスリット状の凹部であり、凹部６１には、折り畳みコンテナーを組み立てた際に、長辺側土手部１１の上面と長辺側外壁１２の内壁面とにより形成される隅部に形成された板状リブ１５が入り込むことができるように構成されている。
【００３０】
長側壁５１の上端部の内側には、載置面６２ａを有する切り欠き部６２が形成されている。６３は、長側壁５１の内壁面５１ａの両端部付近で、上下方向に所定の間隔をおいて突設された嵌合片であり、嵌合片６３には、上述した下部短側壁部２７ｂの両側の垂直縁付近に突設された嵌合突片３７が挿入可能な縦長の透孔６３ａが穿設されている。長側壁５１の上端部の中央には、底面６４ａが、上記の載置面６２ａに一致する逆台形状の凹部６４が形成されており、凹部６４の底面６４ａからは、長側壁５１の幅方向に沿った凸条６５が、上部フランジ５４を越えないように突設されている。なお、６６は、長側壁５２の両側の下部角部に形成された切り欠き部であり、後述するように、折り畳みコンテナーを箱型に組み立てた際に、上述した底部１０の４つの角部に形成された角部ブロック１４の長辺側外壁１２側に位置する部分１４ｄが入り込むことができるように構成されている。
【００３１】
次に、底部１０、短側壁２７及び長側壁５１を、折り畳みコンテナーに組み立てる作業について説明する。
【００３２】
底部１０に、上述したヒンジ連結された上部短側壁部２７ａと下部短側壁部２７ｂとからなる短側壁２７を連結するには、底部１０の短辺側外壁１３に沿って形成された短辺側ヒンジ雌部Ｈ２のフックｈ２と短辺側外壁１３との間隙に、下部短側壁部２７ｂの下部フランジ３９の下面に形成された短側壁側ヒンジ雄部Ｈ４の水平ピンｈ５を嵌入するとともに、水平ピンｈ５を、上記底部１０の短辺側ヒンジ雌部Ｈ２のフックｈ２に引っ掛けることにより、底部１０と短側壁２７を構成する下部短側壁部２７ｂとをヒンジ連結する。
【００３３】
また、底部１０に、長側壁５１を連結するには、底部１０の長辺側土手部１１の内側上面に形成された長辺側ヒンジ雌部Ｈ１のフックｈ２と長辺側外壁１２との間隙に、長側壁５１の下部フランジ５３の下面に形成された長側壁側ヒンジ雄部Ｈ５の水平ピンｈ５を嵌入するとともに、水平ピンｈ５を、上記底部１０の長辺側ヒンジ雌部Ｈ１のフックｈ２に引っ掛けることにより、底部１０と長側壁５１とをヒンジ連結する。このようにして、底部１０と、上部短側壁部２７ａと下部短側壁部２７ｂとからなる短側壁２７とがヒンジ連結され、また、底部１０と長側壁５１とがヒンジ連結されて、折り畳みコンテナーが組み立てられることになる。
【００３４】
次に、図９〜図１６を用いて、折り畳まれた状態の折り畳みコンテナーを、箱型に組み立てる作業について説明する。
【００３５】
図１２に示されている折り畳みコンテナーが折り畳まれた状態においては、短側壁２７を構成する上部短側壁部２７ａと下部短側壁部２７ｂとは、ヒンジ連結された上部短側壁部２７ａと下部短側壁部２７ｂとが、略面一状態で、底部１０に重ねられている。換言すれば、上部短側壁部２７ａと下部短側壁部２７ｂとの両方が、拡開された状態で、底部１０に重ねられている。そして、底部１０に、拡開された状態で重ねられた上部短側壁部２７ａと下部短側壁部２７ｂの上に、長側壁５１が重ねられて、図１２に示されているように、折り畳みコンテナーが折り畳まれている。
【００３６】
図１２に示されている折り畳みコンテナーが折り畳まれた状態から、先ず最初に、短側壁２７を構成する上部短側壁部２７ａと下部短側壁部２７ｂの上に重ねられていた長側壁５１を、図１１に示されているように、略垂直状態に回動させる。
【００３７】
次いで、図１３に示されているように、拡開状態のままの上部短側壁部２７ａと下部短側壁部２７ｂとを、垂直方向に回動させる。そして、略垂直に立てられた長側壁５１の内壁面５１ａの両端部付近で、上下方向に所定の間隔をおいて突設された嵌合片６３に穿設された透孔６３ａに、下部短側壁部２７ｂの両側の垂直縁付近に形成された嵌合突片３７を挿入するようにして、拡開状態のままの上部短側壁部２７ａと下部短側壁部２７ｂとを、図１０及び図１４に示されているように、略垂直に立てる。その後、上部短側壁部２７ａを、ヒンジ雌ブロックＨ３と水平ピンｈ３により構成されるヒンジ部を中心に、外側に回動させて、上部短側壁部２７ａの両端部付近に形成された舌片２９に突設された係止突片３１を、下部短側壁部２７ｂのヒンジ雌ブロックＨ３の下方に形成された横長の嵌合孔３６に嵌入して、図９及び図１５に示されているように、下部短側壁部２７ｂに対して、上部短側壁部２７ａを重ねるようにして、折り畳みコンテナーを箱型に組み立てる。
【００３８】
上部短側壁部２７ａの両端部付近に形成された舌片２９に突設された係止突片３１を、下部短側壁部２７ｂのヒンジ雌ブロックＨ３の下方に形成された横長の嵌合孔３６に挿入する際には、係止突片３１の水平部３１ａの先端部に形成された膨出部３１ｂが、下部短側壁部２７ｂの嵌合孔３６の上縁３６ａに当接し、係止突片３１の水平部３１ａがその弾性により、下方に湾曲し、その結果、係止突片３１の膨出部３１ｂが、下部短側壁部２７ｂの嵌合孔３６を通過するとともに、嵌合孔３６を通過した後は、係止突片３１の水平部３１ａの弾性により、水平部３１ａが元の水平状態に戻ることにより、図１６に示されているように、係止突片３１の膨出部３１ｂが、嵌合孔３６の上縁３６ａに引っ掛かり、簡単には、係止突片３１の膨出部３１ｂが、下部短側壁部２７ｂの嵌合孔３６から抜け出ないように構成されている。また、係止突片３１は、一対の平行なスリット３０により形成された舌片２９に形成されており、従って、舌片２９自体も、係止突片３１と同様に弾性を有するので、係止突片３１の下部短側壁部２７ｂの嵌合孔３６への挿入によりロック作業及び係止突片３１の下部短側壁部２７ｂの嵌合孔３６からの排出によるロック解除作業が容易になる。
【００３９】
なお、舌片２９の先端部には、上部短側壁部２７ａと下部短側壁部２７ｂとを重ねた際に、舌片２９の先端部と下部短側壁部２７ｂとの間に楔状の空隙が形成されるような傾斜面２９ａが形成されている。下部短側壁部２７ｂに重ねられている上部短側壁部２７ａを、ヒンジ雌ブロックＨ３と水平ピンｈ３により構成されるヒンジ部を中心に回動させて、上部短側壁部２７ａの係止突片３１を、下部短側壁部２７ｂの嵌合孔３６から排出させる際には、指を、上記の舌片２９の先端部と下部短側壁部２７ｂとの間に形成された空隙に入れて、舌片２９を上方に持ち上げることにより、係止突片３１の膨出部３１ｂが、嵌合孔３６の上縁３６ａから外れ易くなり、従って、係止突片３１の下部短側壁部２７ｂの嵌合孔３６からの排出によるロック解除作業がより容易になる。
【００４０】
図９に示されている箱型に組み立てられた状態の折り畳みコンテナーを、図１２に示されているように折り畳むには、上述した箱型への組み立て作業とは逆の作業を行うことにより、折り畳むことができる。この折り畳み作業の際には、ヒンジ雌ブロックＨ３と水平ピンｈ３により構成されるヒンジ部を中心に、下部短側壁部２７ｂに重ねられている上部短側壁部２７ａを回動させて、上部短側壁部２７ａの係止突片３１を、下部短側壁部２７ｂの嵌合孔３６から排出させ、上部短側壁部２７ａを回動させることになる。この上部短側壁部２７ａの回動作業の際に、上部短側壁部２７ａが、垂直状態から、折り畳みコンテナーの内側方向に、更に回動した状態で、即ち、下部短側壁部２７ｂと上部短側壁部２７ａとが逆Ｖ字状に折り曲がった状態とか、上部短側壁部２７ａが、折り畳みコンテナーの内部側で、下部短側壁部２７ｂに重なった状態で、下部短側壁部２７ｂと上部短側壁部２７ａとを、底部１０方向に回動させた場合には、作業者が、下部短側壁部２７ｂと上部短側壁部２７ａとが、略面一に、拡開した状態となるような、余分の作業を行わなければならず、従って、折り畳みコンテナーの折り畳み作業の作業性が悪くなるという問題がある。
【００４１】
上述した問題を解決するために、下部短側壁部２７ｂの上端の両端部付近には、内倒れ防止突起６７が突設されているとともに、上部短側壁部２７ａの下端の両端部付近にも、同様の内倒れ防止突起６８が垂設されている。そして、図１０及び図１４に示されているように、箱型に組み立てられた折り畳みコンテナーの下部短側壁部２７ｂと上部短側壁部２７ａとが重ねられた状態から、上部短側壁部２７ａを略１８０度回動させて、下部短側壁部２７ｂと上部短側壁部２７ａとが略面一になった状態において、上部短側壁部２７ａの下端の両端部付近に垂設された内倒れ防止突起６８が、図１７に示されているように、下部短側壁部２７ｂの上端の両端部付近に突設された内倒れ防止突起６７と衝合し、上部短側壁部２７ａが、垂直状態から、折り畳みコンテナーの内側方向に回動するようなことが防止できるように構成されている。このように構成することにより、上述した問題を解決することができ、従って、折り畳みコンテナーの折り畳み作業の作業性が向上することになる。
【００４２】
また、本実施例においては、下部短側壁部２７ｂのヒンジ雌ブロックＨ３の下方に形成された横長の嵌合孔３６は、外側に膨出した箱状の凸部６９の板状部４６と平行な前面壁６９ａに形成されており、上部短側壁部２７ａの両端部付近に形成された舌片２９に突設された係止突片３１が、下部短側壁部２７ｂの上記  箱状の凸部６９の前面壁６９ａに形成された嵌合孔３６に挿入されて、下部短側壁部２７ｂと上部短側壁部２７ａが重ねられて、折り畳みコンテナーが箱型に組み立てられた際には、係止突片３１が、下部短側壁部２７ｂの内壁面２７ｂ１を越えて、折り畳みコンテナーの内部に突出しないように構成されている。このように構成することにより、箱型に組み立てられた折り畳みコンテナーに収容される物品が、係止突片３１に当接して、損傷するようなことが防止できる。
【００４３】
更に、図１１に示されているように、底部１０の上に、短側壁２７を構成する下部短側壁部２７ｂと上部短側壁部２７ａとが、略面一に、拡開した状態で重ねられた際には、相対する短側壁２７の上部短側壁部２７ａの間に形成される間隙が、少なくなるように構成することが好ましい。相対する短側壁２７の上部短側壁部２７ａの間に大きな間隙が形成されると．この間隙の上に重ねられる長側壁５１に、上から外力が加わったりすると、この間隙の上に位置する長側壁５１には、外力を支える上部短側壁部２７ａが存在しないので、長側壁５１が下方に湾曲し、損傷することになる。図１１に示されているように、相対する短側壁２７の上部短側壁部２７ａの間に、実質的に間隙が形成されないようにすることが好ましい。なお、図１１においては、下部短側壁部２７ｂに形成されている手持ち用開口部３３に対応して、上部短側壁部２７ａに形成された凹部３２による間隙のみが、相対する短側壁２７の上部短側壁部２７ａの間に形成されている。
【００４４】
次に、箱型に組み立てられた折り畳みコンテナーを、段積み作業について、主として、図１８〜図２２を用いて説明する。
【００４５】
図１８に示されているように、上に位置する箱型に組み立てられた折り畳みコンテナーＣ１と、下に位置する箱型に組み立てられた折り畳みコンテナーＣ２とを段積みすることが行われるが、この際には、上に位置する箱型に組み立てられた折り畳みコンテナーＣ１の底部１０の長辺側土手部１１を構成する外壁１１ａの略中央部に形成された逆台形状の突出壁２０が、下に位置する箱型に組み立てられた折り畳みコンテナーＣ２の長側壁５１の上端部の中央に形成された逆台形状の凹部６４に挿入されるとともに、図２０に示されているように、凹部６４の底面６４ａに突設された凸条６５が、底部１０の長辺側土手部１１の中央部付近に形成された長辺側嵌合凹部２２に挿入されるように構成されている。そして、上に位置する箱型に組み立てられた折り畳みコンテナーＣ１の底部１０の嵌合部１９は、下に位置する箱型に組み立てられた折り畳みコンテナーＣ２の長側壁５１に形成された切り欠き部６２に入り込み、また、上に位置する箱型に組み立てられた折り畳みコンテナーＣ１の底部１０の長辺側土手部１１を構成する外壁１１ａの下端部１１ａ１が、下に位置する箱型に組み立てられた折り畳みコンテナーＣ２の長側壁５１の上部フランジ５４に載置されるように構成されている。更に、上に位置する箱型に組み立てられた折り畳みコンテナーＣ１の底部１０の長辺側嵌合凹部２２を構成する仕切り壁２１は、下に位置する箱型に組み立てられた折り畳みコンテナーＣ２の長側壁５１に形成された凸条６５の両端部に位置する間隙７０に挿入されることになる。従って、上に位置する箱型に組み立てられた折り畳みコンテナーＣ１が、下に位置する箱型に組み立てられた折り畳みコンテナーＣ２の長側壁５１に沿って移動するようなことが防止できるとともに、下に位置する箱型に組み立てられた折り畳みコンテナーＣ２の長側壁５１が、内容物による内圧や、上に位置する箱型に組み立てられた折り畳みコンテナーＣ１の重量により、外方向に膨らむ、所謂、外膨れを防止することができる。
【００４６】
また、図１８に示されているように、下に位置する箱型に組み立てられた折り畳みコンテナーＣ２の上に、上に位置する箱型に組み立てられた折り畳みコンテナーＣ１が段積みされた際には、図２２に示されているように、上に位置する箱型に組み立てられた折り畳みコンテナーＣ１の底部１０の短辺側外壁１３の略中央部に形成された短辺側嵌合凹部２５に、下に位置する箱型に組み立てられた折り畳みコンテナーＣ２の下部短側壁部２７ｂの上端の中央部に形成されたヒンジ雌ブロックＨ３の上面に突設された凸条４４が挿入されるように構成されている。また、上に位置する箱型に組み立てられた折り畳みコンテナーＣ１の底部１０の嵌合部１９は、下に位置する箱型に組み立てられた折り畳みコンテナーＣ２の下部短側壁部２７ｂの上端の両端部付近及び中央部に形成されたヒンジ雌ブロックＨ３の凸条４４の内側に入り込むとともに、上に位置する箱型に組み立てられた折り畳みコンテナーＣ１の底部１０の短辺側外壁１３の下端部１３ａが、凸条４４の外側に位置するヒンジ雌ブロックＨ３の上面７１に載置されるように構成されている。従って、上に位置する箱型に組み立てられた折り畳みコンテナーＣ１が、下に位置する箱型に組み立てられた折り畳みコンテナーＣ２の短側壁２７に沿って移動するようなことが防止できるとともに、下に位置する箱型に組み立てられた折り畳みコンテナーＣ２の短側壁２７が、内容物による内圧や、上に位置する箱型に組み立てられた折り畳みコンテナーＣ１の重量により、外方向に膨らむ、所謂、外膨れを防止することができる。
【００４７】
上述したように、本発明においては、短側壁２７を、ヒンジ部を介して上部短側壁部２７ａと下部短側壁部２７ｂとに分割するとともに、上部短側壁部２７ａと下部短側壁部２７ｂとが重なった状態ではなく、拡開された状態で、底部１０の上に重ねられるように構成されているので、底部１０の上に重ねられた状態の短側壁２７を、従来の短側壁３に比べ薄くすることができ、従って、底部１０の高さを低く抑えることができるので、全体として、折り畳まれた状態の折り畳みコンテナーの高さが低くなり、折り畳んだ状態の折り畳みコンテナーの収納効率が向上し、収納スペースが少なくなる。
【００４８】
また、長側壁５１と短側壁２７との係合は、長側壁５１に形成された嵌合片６３の透孔６３ａに、下部短側壁部２７ｂに形成された嵌合突片３７を挿入するとともに、上部短側壁部２７ａを、下部短側壁部２７ｂに重なるように、外側に回動させて、上部短側壁部２７ａに形成された係止突片３１を、下部短側壁部２７ｂに形成された嵌合孔３６に挿入し、係合するように構成したので、組み立てられた状態の長側壁５１と短側壁２７との係合状態が、長側壁５１と短側壁２７とに外力が加わっても、解除されるようなことがない。しかも、長側壁５１に形成された嵌合片６３の透孔６３ａに、下部短側壁部２７ｂに形成された嵌合突片３７が挿入されているだけであるので、上述したように、上部短側壁部２７ａを、ヒンジ部を中心に、下部短側壁部２７ｂから離れる方向に、略１８０度、回動させるとともに、上部短側壁部２７ａと下部短側壁部２７ｂとを、底部１０方向に回動する過程において、下部短側壁部２７ｂに形成された嵌合突片３７は、何ら他の操作をすることなく、長側壁５１に形成された嵌合片６３の透孔６３ａから抜け出るように構成されているので、折り畳みコンテナーの折り畳み作業の作業性が向上する。
【００４９】
また、本発明においては、短側壁２７が、ヒンジ連結された上部短側壁部２７ａと下部短側壁部２７ｂとの２枚の板状部材により形成されているので、従来の１枚の板状部材で形成された短側壁に比べて、箱型に組み立てられた状態における短側壁２７が強度的に強い。
【００５０】
なお、図９及び図１５に示されているように、折り畳みコンテナーが箱型に組み立てられた状態においては、上述したように、下部短側壁部２７ｂと上部短側壁部２７ａとが重なっており、下部短側壁部２７ｂに形成された手持ち用開口部３３と上部短側壁部２７ａに形成された凹部３２とが略一致するように構成されている。また、下部短側壁部２７ｂと上部短側壁部２７ａとが重なった状態においては、上部短側壁部２７ａの上端の中央部領域に形成されたフランジの３４のＵ字状部３４ａの中央部３４ａ１が、下部短側壁部２７ｂに形成された手持ち用開口部３３の上縁から水平方向に延在する横リブ４９ａの上に位置し、上記のＵ字状部３４ａの略垂直部３４ａ２が、上記の手持ち用開口部３３の側縁から垂直に延在する縦リブ５０ａの内側に位置するように構成されている。更に、上記のＵ字状部３４ａ側に位置する水平部３４ｂ端部には、切り欠き７２が形成されており、下部短側壁部２７ｂと上部短側壁部２７ａとが重なった状態においては、切り欠き７２に、上記の手持ち用開口部３３の側縁から垂直に延在する縦リブ５０ａが挿入されるように構成されている。
【００５１】
本発明においては、上述したように、長側壁５１の上端部の中央に形成された凹部６４の底面６４ａに突設された凸条６５は、上部フランジ５４を越えないように形成されてるとともに、折り畳みコンテナーが箱型に組み立てられた状態において、短側壁２７を構成する下部短側壁部２７ｂに形成されているヒンジ雌ブロックＨ３の上面に突設されている凸条４４も、長側壁５１の上部フランジ５４を越えないように構成されている。従って、箱型に組み立てられた状態の折り畳みコンテナーの上に、板材を載置し、板材の上に、更に、折り畳みコンテナーやボックスコンテナー等を載置する場合にも、板材が、上記の凸条４４、６５に当接することなく、長側壁５１の上部フランジ５４に載置できる。また、箱型に組み立てられた状態の折り畳みコンテナーの上に、直に、他の折り畳みコンテナーやボックスコンテナー等を段積みする際にも、上記の凸条４４、６５が、長側壁５１の上部フランジ５４から突出していないので、他の折り畳みコンテナーやボックスコンテナー等を水平に、安定した状態で、長側壁５１の上部フランジ５４上に段積みすることができる。
【００５２】
また、凸条６５は、折り畳みコンテナーの寸法精度にとって、一番影響の少ない長側壁５１の上端部の中央部に形成されているので、箱型に組み立てられた折り畳みコンテナーの段積み時の嵌合ガタツキを最小限に抑えることができ、従って、箱型に組み立てられた折り畳みコンテナーの段積み時の安定性が向上することになる。
【００５３】
【発明の効果】
本発明は、以上説明した構成を有しているので、以下に記載する効果を奏するものである。
【００５４】
短側壁を、上部短側壁部と下部短側壁部とにより構成したので、折り畳まれた状態の折り畳みコンテナーの高さが低くなり、従って、折り畳んだ状態の折り畳みコンテナーの収納効率が向上し、収納スペースが少なくて済む。
【００５５】
箱型に組み立てられた折り畳みコンテナーを段積みした際に、下に位置する折り畳みコンテナーが、収容された物品の内圧や上に位置する折り畳みコンテナーの重量により、側壁が、外膨れを起こすようなことを確実に防止することができる。
【図面の簡単な説明】
【図１】図１は本発明の折り畳みコンテナーの底部の斜視図である。
【図２】図２は図１に示されている底部の裏面方向から見た斜視図である。
【図３】図３は図１に示されている底部の部分拡大斜視図である。
【図４】図４は図２に示されている底部の裏面方向から見た部分拡大斜視図である。
【図５】図５は本発明の折り畳みコンテナーの短側壁の分解斜視図である。
【図６】図６は同じく本発明の折り畳みコンテナーの短側壁の分解斜視図である。
【図７】図７は本発明の折り畳みコンテナーの長側壁の斜視図である。
【図８】図８は同じく本発明の折り畳みコンテナーの長側壁の斜視図である。
【図９】図９は本発明の折り畳みコンテナーが箱型に組み立てられた状態の斜視図である。
【図１０】図１０は本発明の折り畳みコンテナーの折り畳み或いは組み立て途中の斜視図である。
【図１１】図１１は同じく本発明の折り畳みコンテナーの折り畳み或いは組み立て途中の斜視図である。
【図１２】図１２は本発明の折り畳みコンテナーが折り畳まれた状態の斜視図である。
【図１３】図１３は本発明の折り畳みコンテナーの折り畳み或いは組み立て途中の部分拡大斜視図である。
【図１４】図１４は同じく本発明の折り畳みコンテナーの折り畳み或いは組み立て途中の部分拡大斜視図である。
【図１５】図１５は本発明の折り畳みコンテナーが箱型に組み立てられた状態の部分拡大斜視図である。
【図１６】図１６は本発明の折り畳みコンテナーが箱型に組み立てられた状態の長側壁に沿った垂直断面図である。
【図１７】図１７は本発明の折り畳みコンテナーが箱型に組み立てられた状態から短側壁を構成する上部短側壁部が略１８０度回転した状態の長側壁に沿った垂直断面図である。
【図１８】図１８は本発明の２つの箱型に組み立てられた折り畳みコンテナーの段積み状態を示す斜視図である。
【図１９】図１９は本発明の２つの箱型に組み立てられた折り畳みコンテナーが段積みされる直前の状態の部分拡大斜視図である。
【図２０】図２０は本発明の２つの箱型に組み立てられた折り畳みコンテナーが段積みされた状態の長側壁に沿った部分垂直断面図である。
【図２１】図２１は本発明の２つの箱型に組み立てられた折り畳みコンテナーが段積みされる直前の状態の部分拡大斜視図である。
【図２２】図２２は本発明の２つの箱型に組み立てられた折り畳みコンテナーが段積みされた状態の長側壁に沿った部分垂直断面図である。
【図２３】図２３は従来の折り畳みコンテナーが箱型に組み立てられた状態の斜視図である。
【図２４】図２４は従来の折り畳みコンテナーの折り畳み或いは組み立て途中の斜視図である。
【図２５】図２５は従来の折り畳みコンテナーが折り畳まれた状態の斜視図である。
【符号の説明】
１０・・・・・・・・・・底部
２７・・・・・・・・・・短側壁
２７ａ・・・・・・・・・上部短側壁部
２７ｂ・・・・・・・・・下部短側壁部
５１・・・・・・・・・・長側壁
【図１】
0003814487.tif 000002
【図２】
0003814487.tif 000003
【図３】
0003814487.tif 000004
【図４】
0003814487.tif 000005
【図５】
0003814487.tif 000006
【図６】
0003814487.tif 000007
【図７】
0003814487.tif 000008
【図８】
0003814487.tif 000009
【図９】
0003814487.tif 000010
【図１０】
0003814487.tif 000011
【図１１】
0003814487.tif 000012
【図１２】
0003814487.tif 000013
【図１３】
0003814487.tif 000014
【図１４】
0003814487.tif 000015
【図１５】
0003814487.tif 000016
【図１６】
0003814487.tif 000017
【図１７】
0003814487.tif 000018
【図１８】
0003814487.tif 000019
【図１９】
0003814487.tif 000020
【図２０】
0003814487.tif 000021
【図２１】
0003814487.tif 000022
【図２２】
0003814487.tif 000023
【図２３】
0003814487.tif 000024
【図２４】
0003814487.tif 000025
【図２５】
0003814487.tif 000026